(57)【要約】  本発明は、患者の胃の壁部に対する固定位置に固定されるのに適した埋め込み可能なデバイス（２０）であって、埋め込み可能なデバイス（２０）が固定位置にある場合に、胃（３０）内に収容される埋め込み可能なデバイス（２０）において、作用物質のリザーバ（６７）と、患者に対して作用物質を投与するのに適したインジェクタ（７０）とを備えることを特徴とする、埋め込み可能なデバイス（２０）に関する。
2020500635.tif 000002
【特許請求の範囲】
【請求項１】
患者（Ｐ）の胃（３０）の壁部に対する固定位置に固定されるのに適した埋め込み可能なデバイス（２０）であって、当該埋め込み可能なデバイス（２０）が前記固定位置にある場合に、前記胃（３０）内に収容される埋め込み可能なデバイス（２０）において、
作用物質のリザーバ（６７）と、前記患者（Ｐ）に対して前記作用物質を投与するのに適したインジェクタ（７０）と、を備えていることを特徴とする、埋め込み可能なデバイス（２０）。
【請求項２】
前記インジェクタ（７０）は、前記患者（Ｐ）の体液中に前記作用物質を注入するように構成されていることを特徴とする、請求項１に記載の埋め込み可能なデバイス（２０）。
【請求項３】
前記体液は、腹腔液または血液であることを特徴とする、請求項２に記載の埋め込み可能なデバイス（２０）。
【請求項４】
前記インジェクタ（７０）は、前記患者（Ｐ）の消化管内に前記作用物質を注入するように構成されていることを特徴とする、請求項１に記載の埋め込み可能なデバイス（２０）。
【請求項５】
前記インジェクタ（７０）は、前記インジェクタ（７０）により前記患者（Ｐ）の腸の管腔内への前記作用物質の注入を可能にするのに適した少なくとも１つのカテーテル（１１４）を含むことを特徴とする、請求項４に記載の埋め込み可能なデバイス（２０）。
【請求項６】
前記作用物質は、インスリン、レボドパ、鎮痛剤、および抗がん剤から形成されるセットより選択されることを特徴とする、請求項１〜５のいずれか一項に記載の埋め込み可能なデバイス（２０）。
【請求項７】
作用物質リザーバ（６７）は、前記インジェクタ（７０）に対して継手連結されたコネクタと、前記作用物質を収容するカプセルと、を備え、前記カプセルは、前記患者（Ｐ）により嚥下されること、および、前記インジェクタ（７０）に対して前記作用物質を送達するために前記コネクタに対して連結することに適していることを特徴とする、請求項１〜６のいずれか一項に記載の埋め込み可能なデバイス（２０）。
【請求項８】
センサと、前記センサに対して前記患者（Ｐ）の体液（Ｆ）を送るのに適した少なくとも１つのカテーテルとを備え、前記センサは、前記体液（Ｆ）内の生物学的マーカのレベルの少なくとも１つの値を測定するのに適していることを特徴とする、請求項１〜７のいずれか一項に記載の埋め込み可能なデバイス（２０）。
【請求項９】
少なくとも１つの測定されたレベル値にしたがって、前記インジェクタ（７０）による前記作用物質の投与を命令するのに適したコントローラ（４５）をさらに備えていることを特徴とする、請求項８に記載の埋め込み可能なデバイス（２０）。
【請求項１０】
前記コントローラ（４５）は、少なくとも１つの測定されたレベル値にしたがって、前記患者（Ｐ）に対して投与されるべき作用物質の頻度および／または用量を算出するのに適していることを特徴とする、請求項９に記載の埋め込み可能なデバイス（２０）。
【請求項１１】
前記体液は、腹腔液または血液であることを特徴とする、請求項８〜１０のいずれか一項に記載の埋め込み可能なデバイス（２０）。
【請求項１２】
取外し可能な電気エネルギー・リザーバ（９０）を含む電源（５５）と、前記電気エネルギー・リザーバ（９０）を収容するのに適したコネクタ（８５）と、を備え、前記電気エネルギー・リザーバ（９０）は、前記電気エネルギー・リザーバ（９０）が接続位置において前記コネクタ（８５）に対して電気接続される場合に前記インジェクタ（７０）に給電するのに適しており、好ましくは、前記患者（Ｐ）により嚥下されるように、および、前記電気エネルギー・リザーバ（９０）が前記患者（Ｐ）の前記胃（３０）内に収容され前記コネクタ（８５）から接続解除される切断位置から前記接続位置へと自発的に移動するように構成されていることを特徴とする、請求項１〜１１のいずれか一項に記載の埋め込み可能なデバイス（２０）。
【請求項１３】
前記患者（Ｐ）の体内に存在する少なくとも１つの化学種、特にグルコースに反応することにより前記インジェクタの電源電流を発生させるのに適した電源（５５）を備えていることを特徴とする、請求項１〜１１のいずれか一項に記載の埋め込み可能なデバイス（２０）。
【請求項１４】
力学エネルギーを電気エネルギーに変換することにより前記インジェクタの電源電流を発生させるのに適した電源（５５）を備えていることを特徴とする、請求項１〜１１のいずれか一項に記載の埋め込み可能なデバイス（２０）。
【請求項１５】
前記インジェクタ（７０）は、２つのカテーテル（１１４）を含み、前記インジェクタ（７０）は、前記カテーテル（１１４）のうちの少なくとも一方を経由して前記患者（Ｐ）に対して前記作用物質を投与するように構成され、前記インジェクタ（７０）は、前記カテーテル（１１４）のうちの一方を経由して前記患者（Ｐ）の体液（Ｆ）を吸引し、他方の前記カテーテル（１１４）を経由して前記吸引された体液（Ｆ）を排出するように構成されていることを特徴とする、請求項１〜１４のいずれか一項に記載の埋め込み可能なデバイス（２０）。
【請求項１６】
前記インジェクタ（７０）は、排出された体液（Ｆ）中に前記作用物質を注入するように構成されていることを特徴とする、請求項１５に記載の埋め込み可能なデバイス（２０）。
【請求項１７】
少なくとも１つのカテーテル（１１４）が、多孔性材料から作製されていることを特徴とする、請求項５、１５および１６のいずれか一項に記載の埋め込み可能なデバイス（２０）。
【請求項１８】
前記多孔性材料は、前記作用物質および／または患者（Ｐ）の体液（Ｆ）が横断するのに適していることを特徴とする、請求項１７に記載の埋め込み可能なデバイス（２０）。
【発明の詳細な説明】
【技術分野】
【０００１】
本発明は、埋め込み可能なデバイスに関する。本発明は、患者に対して作用物質を投与するための方法にも関する。
【背景技術】
【０００２】
体内に埋め込み可能なデバイスは、患者に対して医薬品を投与するために使用される。このため、埋め込みデバイスは、バッテリーと、医薬品リザーバとを備える。しかし、このような埋め込み可能なデバイスのバッテリーおよびリザーバは、定期的な再充電または交換を必要とする。特に、多くの場合において、この交換は外科的手技により実施される。このような手技は、病院施設の手術室で行われ、麻酔と術後モニタリングのために病院施設内での長期入院とを必要とするため、患者にとって比較的高額となり制約のあるものとなる。さらに、いかなる外科手技に関しても、手術中に患者が感染症に罹患するリスクが存在する。
【０００３】
他の場合では、上述したタイプの埋め込みデバイスが、患者の体外で患者に着用されたエネルギー貯蔵モジュールによって外部から給電される。例えば、いくつかの電源デバイスが、患者の皮膚および胸郭を通して刺激デバイスまで超音波によりエネルギーを伝達し得る。しかし、超音波は、骨を通過しにくく、このため、埋め込みデバイスに十分な電力を供給するために、埋め込みデバイスが胸郭の前方に位置させられる場合には、超音波源の配置において高い精度が必要とされる。さらに、患者の体外のこのような電源デバイスは、不体裁である。
【０００４】
いくつかの埋め込み可能なデバイスは、有線コネクタを備えることにより、埋め込み可能なデバイスと外部デバイスとの間における電気接続または流体輸送を可能にし得る。このようにして、電源電流または医薬品の流れが、外部デバイスを用いて交換される。この場合も、患者の皮膚を貫通して現れるこれらのコネクタが不体裁となり、患者の日常生活に対して健康上のリスクおよび重大な制約を必然的にもたらす。
【発明の概要】
【発明が解決しようとする課題】
【０００５】
したがって、患者に対する制約がより少ない埋め込み可能なシステムが必要である。
【課題を解決するための手段】
【０００６】
この目的のために、患者の胃の壁部に対する固定位置に固定されるのに適した埋め込み可能なデバイスであって、埋め込み可能なデバイスが固定位置にある場合に、埋め込み可能なデバイスが胃内に収容される埋め込み可能なデバイスにおいて、作用物質のリザーバと、患者に対して作用物質を投与するのに適したインジェクタとを備えることを特徴とする、埋め込み可能なデバイスが提案される。
【０００７】
実施形態によれば、埋め込み可能なデバイスは、単独でまたは任意の技術的に可能な組み合わせによって、以下の特徴のうちの１つまたは複数を備える。
−  インジェクタは、患者の体液中に作用物質を注入するように構成される。
−  体液は、腹腔液または血液である。
−  インジェクタは、患者の消化管内に作用物質を注入するように構成される。
−  インジェクタは、インジェクタにより患者の腸の管腔内への作用物質の注入を可能にするのに適した少なくとも１つのカテーテルを含む。
−  作用物質は、インスリン、レボドパ、鎮痛剤、および抗がん剤から形成されるセットより選択される。
−  埋め込み可能なデバイスは、胃の上部において固定されるのに適している。
−  作用物質リザーバは、インジェクタに対して継手連結されたコネクタと、作用物質を収容するカプセルとを備え、カプセルは、患者により嚥下されること、およびインジェクタに対して作用物質を送達するためにコネクタに対して連結することに適している。
−  埋め込み可能なデバイスは、センサと、センサに対して患者の体液を送るのに適した少なくとも１つのカテーテルとを備え、センサは、体液内の生物学的マーカのレベルの少なくとも１つの値を測定するのに適している。
−  埋め込み可能なデバイスは、少なくとも１つの測定されたレベル値にしたがって、インジェクタによる作用物質の投与を命令するのに適したコントローラをさらに備える。
−  コントローラは、少なくとも１つの測定されたレベル値にしたがって、患者に対して投与されるべき作用物質の頻度および／または用量を算出するのに適している。
−  体液は、腹腔液または血液である。
−  埋め込み可能なデバイスは、取外し可能な電気エネルギー・リザーバを含む電源と、電気エネルギー・リザーバを収容するのに適したコネクタとを備え、電気エネルギー・リザーバは、電気エネルギー・リザーバが接続位置においてコネクタに対して電気接続される場合にインジェクタに給電するのに適しており、好ましくは、患者により嚥下されるように、および電気エネルギー・リザーバが患者の胃内に収容されコネクタから接続解除される切断位置から接続位置へと自発的に移動するように構成される。
−  埋め込み可能なデバイスは、患者の体内に存在する少なくとも１つの化学種、特にグルコースに反応することによりインジェクタの電源電流を発生させるのに適した電源を備える。
−  埋め込み可能なデバイスは、力学エネルギーを電気エネルギーに変換することによりインジェクタの電源電流を発生させるのに適した電源を備える。
【０００８】
埋め込み可能なデバイスは、２つの第１のカテーテルを備え得る。２つの第１のカテーテルは、流体連通部を形成するようにポンプを介して連結され得る。一方の第１のカテーテルが、ポンプの取込み部に対して連結され、他方の第１のカテーテルが、排出部に対して連結され得る。体液の取込みおよび排出は、ポンプにより実施される。
【０００９】
本発明は、作用物質を投与するための方法にも関する。この方法は、特に、本明細書において開示されるような埋め込み可能なデバイスを使用する。さらなる例では、埋め込み可能なデバイスは、患者の胃内以外の他の部位に埋め込まれるのに適している点に留意されたい。
【００１０】
本方法は、特に、１つ、２つ、またはそれ以上の第１のカテーテルを備えるこのようなデバイスの使用または取付けを含む。デバイスは、胃の内方壁部に対接する位置にあり、第１のカテーテル、または好ましくは２つの第１のカテーテルは、胃の壁部を横断する。第１のカテーテルの自由端部は、作用物質が注入されることとなる器官または腔部内に配置される。本方法は、第１のカテーテルによる作用物質の注入または送達を含む。好ましい一実施形態では、２つの第１のカテーテルが使用され、一方の第１のカテーテルの自由端部は、体液が吸引されることとなる器官または腔部の中に配置されるのに対して、他方の第１のカテーテルの自由端部は、作用物質が注入されることとなる器官または腔部内に配置される。一実施形態では、前記２つの端部が、腹膜腔内に配置される。さらなる実施形態では、前記２つの端部は、静脈腔または動脈腔の中に配置される。この場合に、本方法は、この流体の取込み端部から排出端部までのこれらの２つの第１のカテーテルを経由して移行する体液流の形成を含む。本方法によれば、作用物質の注入または送達は、この体液流中において実施される。本方法は、デバイスの種々のモジュールの使用を含む。したがって、本方法は、所定の、管理された、またはモニタリングされた期間にわたる、連続注入または分割注入などの作用物質注入流量の制御を含む。したがって、本方法は、マーカレベルの測定と、作用物質を投与する命令とを含み得る。本方法は、作用物質の残留レベルの検出も含み、作用物質リザーバの交換を開始させ得る。本方法は、残留電気エネルギーレベルの検出も含み、エネルギー・リザーバの交換を開始させ得る。
【００１１】
本発明の特徴および利点は、添付の図面を参照しつつ非限定的な例としてのみ提示された、以下の説明を読むことにより、明らかになろう。
【図面の簡単な説明】
【００１２】
【図１】電源を含む埋め込み可能なシステムの一例を示す図である。
【図２】患者の体内に埋め込まれた、図１の埋め込み可能なデバイスの概略図である。
【図３】図１の電源の概略図である。
【発明を実施するための形態】
【００１３】
埋め込み可能なシステム１０の第１の例が、図１に示される。
【００１４】
埋め込み可能なシステム１０は、アンカー１５と、埋め込み可能なデバイス２０とを含む。
【００１５】
「埋め込み可能なシステム」とは、アンカー１５および埋め込み可能なデバイス２０により構成されるリストの中の少なくとも１つの要素が、人体内に埋め込まれるように想定されたものとして理解される。
【００１６】
特に、「埋め込み可能な」とは、アンカー１５および埋め込み可能なデバイス２０の中の少なくとも１つの要素が、厳密には１週間超の期間、好ましくは１月超の期間、好ましくは１年以上の期間にわたり、患者Ｐの体内に留まるように想定されたものとして理解される。
【００１７】
埋め込み可能なシステム１０が患者Ｐの体内に埋め込まれた場合の埋め込み可能なシステム１０は、図２概略的に示されている。
【００１８】
図２の例によれば、アンカー１５および埋め込み可能なデバイス２０は、それぞれ患者Ｐの体内に埋め込まれる。
【００１９】
アンカー１５は、患者Ｐの胃３０内の所定の位置に固定されるのに適している。
【００２０】
例えば、アンカー１５は、胃３０の上部中に固定されるように構成される。特に、アンカー１５は、胃３０の胃底中に固定されるように構成される。例えば、アンカー１５は、胃底中においてＨｉｓ角に可能な限り近くに固定されることが想定される。
【００２１】
代替的には、アンカー１５は、胃３０の下部中に固定されるように構成される。
【００２２】
アンカー１５は、埋め込み可能なデバイス２０を好ましくは可動的に支持するように構成される。特に、アンカー１５および埋め込み可能なデバイス２０は、固定デバイスにより相互に対して固定されるように構成され、アンカー１５は、胃３０中に固定された場合に、埋め込み可能なデバイス２０を固定位置に保持するように構成される。
【００２３】
アンカー１５は、ヘッド３５と、第１のコネクタ４０とを含む。
【００２４】
ヘッド３５は、所定の位置にアンカー１５をアンカリングするように構成される。特に、ヘッド３５は、胃３０の壁部に対してアンカー１５をアンカリングするように構成される。
【００２５】
ヘッド３５は、例えばヘッド３５の２つのブランチ間において胃３０の壁部の一部分を把持するように構成された胃腸管クリップなどである。
【００２６】
代替的には、ヘッド３５は、胃３０の壁部に対して縫合糸を使用して縫合されるのに適している。
【００２７】
さらなる代替的な実施形態によれば、ヘッド３５は、胃粘膜が切開された後に胃粘膜内部に埋設されるのに適している。
【００２８】
第１のコネクタ４０は、ヘッド３５に対して埋め込み可能なデバイス２０を固定するように構成される。
【００２９】
埋め込み可能なデバイス２０は、患者Ｐに対して作用物質を投与するように構成される。
【００３０】
例えば、埋め込み可能なデバイス２０は、患者Ｐの体液中に作用物質を注入するように構成される。この体液は、例えば患者の腹腔液である（非経口ルート）。代替的には、この体液は、患者Ｐの血液である。
【００３１】
代替的には、埋め込み可能なデバイス２０は、経腸ルートにより、具体的には胃内における放出によって作用物質を投与するように構成される。
【００３２】
「作用物質」とは、患者の健康に対して好ましい効果を有する物質をいう。
【００３３】
例えば、医薬品が作用物質である。ホルモンが、作用物質のさらなる例である。
【００３４】
作用物質は、例えばインスリンである。
【００３５】
代替的には、作用物質は鎮痛剤である。例えば、作用物質はモルヒネである。
【００３６】
さらなる代替的な実施形態によれば、作用物質はレボドパである。レボドパすなわちL-ドパは、パーキンソン病の治療に使用される医薬品である。
【００３７】
さらなる代替的な実施形態によれば、作用物質は抗がん剤である。例えば、作用物質は化学療法成分である。
【００３８】
埋め込み可能なデバイス２０は、第１のコントローラ４５、第２のコネクタ５０、電源５５、ハウジング６５、作用物質リザーバ６７、およびインジェクタ７０を含む。
【００３９】
第１のコントローラ４５は、データ処理ユニットである。第１のコントローラ４５は、第１のメモリ７５と、第１のプロセッサ８０とを含む。
【００４０】
代替的には、第１のコントローラ４５は、専用の集積回路またはプログラマブル論理構成要素の形態で具現化される。
【００４１】
一実施形態によれば、第１のコントローラ４５は高周波エミッタ／レシーバを含む。
【００４２】
プログラム命令を含むコンピュータプログラムが、第１のメモリ７５内に格納される。プログラム命令は、第１のプロセッサ８０により実行された場合に、患者Ｐに対して作用物質を投与するための方法を実行するのに適している。
【００４３】
第１のプロセッサ８０は、レジスタまたは他のタイプのディスプレイデバイス、送信デバイス、もしくは格納デバイスにおいて、第１のメモリ７５中の電子量または物理量として表されたデータを第１のメモリ７５中の物理データに対応する他の同様のデータへと処理および／または変換するのに適している。
【００４４】
第２のコネクタ５０は、第１のコネクタ４０と協働して固定位置に埋め込み可能なデバイス２０を保持するように構成される。
【００４５】
例えば、第２のコネクタ５０は、スナップ嵌めにより第１のコネクタ４０と協働するように構成される。
【００４６】
代替的には、第２のコネクタ５０は、第１のコネクタに対して第２のコネクタを固定するように構成された磁石を含む。この磁石は、例えば電磁石である。
【００４７】
さらなる代替的な実施形態によれば、第１のコネクタ４０は、螺合により第２のコネクタ５０に対して固定されるように構成される。代替的には、第１のコネクタ４０は、第２のコネクタ５０中に形成された固定オリフィスと相補的な１つのまたは好ましくは２つの差し込みピン(bayonet)を含む。
【００４８】
好ましくは、第２のコネクタ５０は、埋め込み可能なデバイス２０がアンカー１５から分離可能となるように想定される。特に、第２のコネクタ５０は、アンカー１５が患者Ｐの胃３０中に固定される場合に埋め込み可能なデバイス２０がアンカー１５から分離可能となるように構成される。
【００４９】
電源５５は、図３に示されている。
【００５０】
電源５５は、第１のコントローラ４５に第１の電源電流Ｃ１を供給するように構成される。
【００５１】
電源５５は、インジェクタ７０に第２の電源電流Ｃ２を供給するようにさらに構成される。
【００５２】
電源５５は、第３のコネクタ８５と、第１の電気エネルギー・リザーバ９０とを含む。
【００５３】
第３のコネクタ８５は、第１の電気エネルギー・リザーバ９０から第１の電源電流Ｃ１および第２の電源電流Ｃ２を受け取るように、ならびに第１のコントローラ４５およびインジェクタ７０に第１の電源電流Ｃ１および第２の電源電流Ｃ２をそれぞれ供給するように構成される。
【００５４】
第３のコネクタ８５は、第１の電気エネルギー・リザーバ９０を収容するように構成される。特に、第３のコネクタ８５は、接続位置において第１の電気エネルギー・リザーバ９０を少なくとも部分的に収容するように構成された空洞部９５を画成する。
【００５５】
図３の例によれば、空洞部９５は、ハウジング６５の外部に露呈されている。特に、空洞部９５は、ハウジング６５の外部から空洞部９５内への第１の電気エネルギー・リザーバ９０の挿入を可能にするように構成される。
【００５６】
第３のコネクタ８５は、第１の電気エネルギー・リザーバ９０が接続位置にある場合に第１の電気エネルギー・リザーバ９０に対して電気接続されるように構成された、２つの第１の電気接触子１００をさらに含む。特に、これらの２つの第１の電気接触子１００は、空洞部９５の内部に露呈されている。
【００５７】
第１の電気エネルギー・リザーバ９０は、電気エネルギーを貯蔵するように構成される。特に、第１の電気エネルギー・リザーバ９０は、患者Ｐの体外で電気エネルギーを充電され、第１の電気エネルギー・リザーバ９０が接続位置にある場合に放電されるように構成される。例えば、第１の電気エネルギー・リザーバ９０は、バッテリーを含む。代替的には、第１の電気エネルギー・リザーバ９０は、少なくとも１つのコンデンサまたは超コンデンサ(supercapacitor)を含む。
【００５８】
第１の電気エネルギー・リザーバ９０は、接続位置にある場合に第１のコントローラ４５に第１の電源電流Ｃ１を供給するように構成される。さらに、第１の電気エネルギー・リザーバ９０は、接続位置にある場合にインジェクタ７０に第２の電源電流Ｃ２を供給するように構成される。
【００５９】
図３の例によれば、第１の電気エネルギー・リザーバ９０は、第１の電気接触子１００に対して相補的な２つの第２の電気接触子１０５を含む。
【００６０】
第１の電気エネルギー・リザーバ９０は、患者Ｐにより嚥下されることが想定され得る。
【００６１】
代替的な実施形態によれば、第１のエネルギー・リザーバ９０は、内視鏡法で置換されるのに適している。
【００６２】
特に、第１の電気エネルギー・リザーバ９０は、厳密に６ミリリットル（ｍｌ）未満の容積を有する。
【００６３】
第１の電気エネルギー・リザーバ９０は、各々がそれぞれの方向に沿って測定される３つの寸法をさらに有し、各方向は、その他の２つの方向に対して垂直であり、各寸法は、厳密に５センチメートル（ｃｍ）未満である。
【００６４】
第１の電気エネルギー・リザーバ９０は、接続位置と切断位置との間で可動である。第１の電気エネルギー・リザーバ９０が切断位置にある場合に、第１の電気エネルギー・リザーバ９０は、患者Ｐの胃３０中に収容されるが、第３のコネクタ８５に対して電気接続されていない。例えば、第１の電気エネルギー・リザーバ９０が切断位置にある場合に、第１の電気エネルギー・リザーバは、空洞部９５から完全に除去される。
【００６５】
第１の電気エネルギー・リザーバ９０は、切断位置から接続位置へと自発的に移動するように構成される。例えば、第１の電気エネルギー・リザーバ９０は、アトラクタ１１０を含む。
【００６６】
アトラクタ１１０は、第１の電気エネルギー・リザーバ９０が切断位置にある場合に、切断位置から接続位置へと第１の電気エネルギー・リザーバ９０を移動させる傾向を有する力を第１の電気エネルギー・リザーバ９０に対して印加するように構成される。
【００６７】
さらに、アトラクタ１１０は、接続位置に第１の電気エネルギー・リザーバ９０を保持するように構成される。
【００６８】
アトラクタ１１０は、例えば第３のコネクタ８５の第２の磁石１１２と協働するのに適した第１の磁石を含む。代替的には、第１の磁石は、第３のコネクタ８５の強磁性部分と協働するのに適している。第１の磁石および第２の磁石１１２は、例えば電磁石である。
【００６９】
ハウジング６５は、ハウジング６５の外部から第１のコントローラ４５を隔離するように構成される。例えば、ハウジング６５は、少なくとも第１のコントローラ４５およびインジェクタ７０を収容するチャンバを画成する。
【００７０】
作用物質リザーバ６７は、作用物質を貯蔵し、インジェクタ７０に作用物質を送るように構成される。
【００７１】
作用物質リザーバ６７は、例えばハウジング６５に対して継手連結されたコネクタと、作用物質を収容するカプセルとを含む。カプセルは、患者Ｐによる嚥下に、およびインジェクタに作用物質を送達するためにコネクタに対して連結するのに適している。特に、各カプセルは、対応するコネクタから空のカプセルを放出するように構成される。
【００７２】
インジェクタ７０は、患者Ｐの器官Ｃ内に作用物質を注入するのに適している。例えば、インジェクタ７０は、ポンプおよび第１のカテーテル１１４を含む。
【００７３】
ポンプは、作用物質リザーバ６７内の作用物質を抽出するように、および第１のカテーテル１１４に作用物質を送るように構成される。
【００７４】
蠕動ポンプは、インジェクタ７０内に組み込まれるのに適したポンプの一例である。
【００７５】
第１のカテーテル１１４は、第１の端部および第２の端部を有する。第１の端部は、ポンプに対して連結される。第２の端部は、ポンプから受けた作用物質を患者Ｐに対して投与するのに適している。
【００７６】
体液Ｆが腹腔液である場合には、第２の端部は、腹膜中に露呈しており、インジェクタ７０は、患者Ｐの腹腔液中に作用物質を注入するのに適している。作用物質は、腹腔液から患者Ｐの血流へと進み得る。
【００７７】
代替的には、体液Ｆが血液である場合に、第２の端部は、患者Ｐの血管（静脈または動脈）中に露呈している。
【００７８】
腸に関する代替的な実施形態では、第２の端部は、患者Ｐの消化管中に露呈している。例えば、第２の端部は、患者Ｐの腸の管腔中に露呈している。代替的には、第２の端部は、患者Ｐの胃中に露呈している。
【００７９】
次に、埋め込み可能なシステム１０の動作を説明する。
【００８０】
アンカー１５、埋め込み可能なデバイス２０、および第２のデバイス２５を患者Ｐの体内に埋め込む前の第１のステップの最中に、第１の電気エネルギー・リザーバ９０は、電気エネルギーを充電される。したがって、第１の電気エネルギー・リザーバ９０は、第１のコントローラ４５ように意図された第１の電源電流Ｃ１を発生する。
【００８１】
第２のステップの最中に、アンカー１５、埋め込み可能なデバイス２０、および第２のデバイス２５は、患者Ｐの体内に埋め込まれる。
【００８２】
第３のステップの最中に、作動メッセージが、外部デバイスにより埋め込み可能なデバイス２０へと送信される。特に、作動メッセージは、高周波通信により送信される。作動メッセージは、埋め込み可能なシステム１０が実際に患者Ｐの体内に埋め込まれていることを第１のコントローラ４５に通知する。
【００８３】
第４のステップの最中に、作用物質は、患者Ｐに対して投与される。
【００８４】
第１のコントローラ４５は、ある投与頻度でインジェクタ７０による患者Ｐに対するある量の作用物質の投与を命令する。
【００８５】
例えば、投与される作用物質の量および投与頻度は、予め決定されている。
【００８６】
この埋め込み可能なデバイス２０により、作用物質の送達を腸管内においてまたは腸管外においてのいずれかで行うことが可能となる。したがって、埋め込み可能なデバイス２０は、例えば静脈内ルートまたは筋内ルートなどによる通常は注入される作用物質の、患者Ｐにとって簡単かつ無痛である送達を可能にする。
【００８７】
また、埋め込み可能なデバイス２０により、ある種のパーキンソン病患者用のL-ドパなど、例えば腸内への到達が可能な限り一定の流量にて行われなくてはならない場合に、作用物質の送達を自動的かつ定期的に行うことが可能となる。デバイス２０により、作用物質の投与が容易化される。実際に、作用物質を収容するカプセルは、患者に対して経口投与され得るため、したがって患者にとってあまり苦痛を与えず制約ももたらさない。特に、同一期間において、医薬品が従来のピル形態で投与される場合の同一の投与率に到達するために嚥下すべき作用物質カプセルの個数は、投与すべき医薬品用量の個数をはるかに下回る。
【００８８】
さらに、いったん取り付けられた埋め込み可能なデバイス２０は、患者Ｐに対してあまり制約的なものとはならない。特に、埋め込み可能なデバイス２０は、外部点滴との置換に適しているが、外部点滴のような患者の動きに対する支障をもたらさない。
【００８９】
埋め込み可能なデバイス２０が胃内に位置する場合に、第１の電気エネルギー・リザーバ９０の交換は、容易であり、例えば食道を経由して内視鏡法により簡単かつ迅速に実施され得る。さらに、第１の電気エネルギー・リザーバ９０の交換は、切開が行われないためわずかな感染症リスクしか伴わない。
【００９０】
アトラクタ１１０の使用により、患者Ｐが第１の電気エネルギー・リザーバ９０を嚥下することだけが単に必要となるため、内視鏡法を用いずとも第１の電気エネルギー・リザーバ９０の位置決めがさらに簡単になる。
【００９１】
さらに、埋め込み可能なシステム１０は、患者Ｐが体外に電気エネルギー貯蔵手段を継続的に携えることを、または不体裁な導電体が患者Ｐの体外に露呈されることを意味しない。したがって、埋め込み可能なシステム１０は、患者にとってわずかな制約しか伴わない。
【００９２】
次に、埋め込み可能なシステム１０の第２の例を説明する。図１の埋め込み可能なシステム１０の第１の例と同一の要素は、再び説明されない。相違点のみが強調される。
【００９３】
埋め込み可能なデバイス２０は、少なくとも１つのセンサを含む。各センサが、患者Ｐの生理学的現象を示すパラメータの値を測定するのに適している。
【００９４】
パラメータは、例えば患者Ｐの体液Ｆ中の生物学的マーカのレベルなどである。
【００９５】
この場合に、埋め込み可能なデバイス２０は、器官Ｃからセンサまで患者Ｐの体液Ｆを送るように構成された第２のカテーテルを含む。例えば、器官Ｃは、腹膜であり、流体Ｆは、腹腔液である。
【００９６】
生物学的マーカは、例えばグルコースである。
【００９７】
代替的には、生物学的マーカは、体液Ｆ中に存在するイオンである。
【００９８】
この場合に、センサは、体液Ｆ中の生物学的マーカのレベルを測定するのに適している。例えば、センサは、グルコース値を測定するのに適している。
【００９９】
第１のコントローラ４５は、少なくとも１つの測定されたパラメータ値にしたがってインジェクタ７０により作用物質の注入を命令するように構成される。第１のコントローラ４５は、測定された値にしたがって患者に対して投与されるべき作用物質の投与期間もしくは投与頻度および／または作用物質用量を修正するのに適している。
【０１００】
例えば、センサは、所定の測定期間でパラメータの値を測定し、第１のコントローラ４５は、測定された値にしたがってインジェクタ７０により作用物質の投与を命令する。
【０１０１】
例えば、第１のコントローラ４５は、所定のしきい値に対して測定されたパラメータの値を比較し、測定された１つまたは複数の値が所定のしきい値以上である場合には、作用物質用量の投与を命令する。投与される作用物質用量は、例えば所定の体積に対応した用量である。
【０１０２】
代替的には、第１のコントローラ４５は、所定の投与期間での作用物質用量の投与を命令し、投与される各用量は、測定された値にしたがって計算された作用物質体積に対応する。
【０１０３】
第２の例の代替的な実施形態によれば、センサは、埋め込み可能なデバイス２０とは別個のものである。例えば、埋め込み可能なシステム１０は、患者Ｐの体内に埋め込まれるのに、および埋め込み可能なデバイス２０との高周波通信による通信に適した追加のデバイスを備える。
【０１０４】
この場合に、センサは、この追加のデバイスに組み込まれる。例えば、追加のデバイスは、高周波通信により埋め込み可能なデバイス２０に対して測定値を送るように構成される。
【０１０５】
この場合に、追加のデバイスは、第２のメモリおよび第２のプロセッサを備えた、ならびにセンサによるパラメータの数値取得と埋め込み可能なデバイス２０に対して測定値の高周波送信メッセージの送信とを命令するのに適した、第２のコントローラを備える。
【０１０６】
次に、埋め込み可能なシステム１０の第３の例を説明する。埋め込み可能なシステム１０の第１の例と同一の要素は、再び説明されない。相違点のみが強調される。
【０１０７】
電源５５は、第３のコネクタ８５および電気エネルギー・リザーバ９０を備えない。
【０１０８】
電源５５は、電気エネルギー発生器を含む。「電気エネルギー発生器」は、電流による電気エネルギーで充電されるようには構成されないものとして理解される。
【０１０９】
電気エネルギー発生器は、患者Ｐの体内に存在する少なくとも１つの化学種に反応することにより少なくとも１つの電流を発生するのに適している。より具体的には、電気エネルギー発生器は、第１の電源電流Ｃ１および第２の電源電流Ｃ２を発生するのに適している。
【０１１０】
例えば、電気エネルギー発生器は、２つの電極を備え、これらの電極は、中央デバイス２０が固定位置にある場合に患者Ｐの胃液中に浸漬される。代替的には、電気エネルギー発生器の電極は、中央デバイス２０が固定位置にある場合に患者Ｐの腸内に浸漬されるように想定される。
【０１１１】
各電極は、少なくとも１つの酵素を含む。代替的には、各電極は、少なくとも１つの微生物を含む。例えば、電気エネルギー発生器の各電極は、酵素または微生物で被覆された導電体を備え、したがって全体が膜によって囲まれた状態で形成される。この膜は、例えば患者Ｐの胃内または腸内に自然に存在する特定の化学種が横断するように構成される。
【０１１２】
電気エネルギー発生器の電極が、胃液または腸液の中に浸漬されると、電極の中の一方が、第１の化学種を伴う酸化還元反応におけるアノードとして機能する。同時に、他方の電極は、第２の化学種を伴う酸化還元反応におけるカソードとして機能する。
【０１１３】
第１の化学種および第２の化学種の同時的な酸化および還元により、電圧がこれらの２つの導電体の間に発生する。このとき、第１の電源電流Ｃ１および第２の電源電流Ｃ２が発生する。
【０１１４】
第１の化学種は、例えばグルコースである。第２の化学種は、例えば酸素である。
【０１１５】
第１の化学種は、例えばグルコースである。第２の化学種は、例えば酸素である。
【０１１６】
埋め込み可能なシステム１０の第３の例は、電気エネルギー・リザーバ９０の充電、または患者Ｐの体内への電気エネルギー・リザーバ９０の挿入を必要としない。
【０１１７】
この場合には、患者Ｐに対する制約がやはり軽減される。
【０１１８】
第４の例によれば、電気エネルギー発生器は、力学エネルギーを電気エネルギーへと変換することにより少なくとも１つの電流を発生するのに適している。特に、電気エネルギー発生器は、胃３０の動きにより少なくとも１つの電流を発生するのに適している。
【０１１９】
上記において、埋め込み可能なシステム１０の機能は、読者の理解を促すために複数の例へと分けられている。しかし、前述の例は、新たな実施形態をもたらすように組み合わされてもよい点に留意されたい。
【０１２０】
さらに、上記の説明は、アンカー１５および埋め込み可能なデバイス２０が２つの別個のデバイスを形成する場合のものとして示される。埋め込み可能なデバイス２０およびアンカー１５は単一のデバイスを形成するのに適しており、その場合には、アンカー１５および埋め込み可能なデバイス２０は相互に分離可能ではない点が、当業者には容易に理解されよう。例えば、アンカー１５は、埋め込み可能なデバイス２０のハウジング６５と一体である。
【０１２１】
次に、埋め込み可能なシステム１０の第５の例を説明する。埋め込み可能なシステム１０の第１の例と同一の要素は、再び説明されない。相違点のみが強調される。
【０１２２】
埋め込み可能なデバイス２０の第５の例によれば、インジェクタ７０は、２つの第１のカテーテル１１４を含む。
【０１２３】
ポンプは、例えば第１のカテーテル１１４を経由して体液Ｆを吸引し、他のカテーテル１１４を経由してこの吸引された体液Ｆを排出するように構成される。一実施形態によれば、ポンプは、排出された流体Ｆが作用物質を付加されるように、体液Ｆ中に作用物質を注入するようにさらに構成される。
【０１２４】
一実施形態によれば、各第１のカテーテル１１４は、腹膜の壁側板と臓側板との間に露呈するように胃３０の壁部を横断する。特に、各第１のカテーテル１１４の第２の端部は、腹膜の壁側板と臓側板との間に露呈する。
【０１２５】
本発明による第１のカテーテルの長さおよび／または直径は、体液の収集部位および／またはこの流体のポンプ内通過後の排出部位の位置に対して一般的に適合化される。体液Ｆが腹腔液である場合には、例えば（しかし限定的ではない）各第１のカテーテル１１４が、具体的には１センチメートル（ｃｍ）〜２０ｃｍの間の、例えば２ｃｍ〜１５ｃｍの間の、特に６ｃｍ〜１２ｃｍの間の長さを有してもよい。各第１のカテーテル１１４が、３ミリメートル（ｍｍ）以下の、例えば２ｍｍ以下の直径を有してもよい。
【０１２６】
一実施形態によれば、埋め込み可能なデバイス２０が２つの第１のカテーテル１１４を含む場合には、一方の第１のカテーテル１１４は、第２のカテーテルとして機能する。
【０１２７】
次に、第５の例による埋め込み可能なデバイス２０を使用して実施される投与方法を説明する。
【０１２８】
この投与方法は、取込みステップ、注入ステップ、および放出ステップを含む。
【０１２９】
取込みステップの最中に、体液Ｆの流れが、第１のカテーテル１１４の一方により吸引される。例えば、第１のコントローラ４５が、ポンプを介した体液Ｆの取込みを命令する。
【０１３０】
注入ステップの最中に、ある用量の作用物質が、体液Ｆの流れの中へとポンプにより注入される。例えば、第１のコントローラ４５は、体液Ｆの流れの中に作用物質をポンプ送給することによる注入を命令する。
【０１３１】
放出ステップの最中に、作用物質を含む体液Ｆは、他方の第１のカテーテル１１４により排出される。特に、作用物質を含む体液Ｆは、体液Ｆが吸引されたのと同一の患者Ｐの器官または体腔内に放出される。したがって、作用物質は、患者Ｐの体液Ｆ中に投与される。
【０１３２】
一実施形態によれば、２つの第１のカテーテル１１４は、例えば腹膜の臓側板と壁側板との間などにおいて腹膜中に露呈する。この場合に、体液Ｆは腹腔液である。
【０１３３】
２つの第１のカテーテル１１４は、患者Ｐの他の器官中に露呈するのに適している点に留意されたい。例えば、２つの第１のカテーテル１１４のそれぞれが、患者Ｐの血管中に露呈する。この場合に、体液Ｆは血液である。
【０１３４】
取込みステップ、注入ステップ、および放出ステップは、以降では別個のステップとして説明される。しかし、これらの３つのステップは、同時に実施されるのに適している。例えば、体液Ｆの連続流が、第１のカテーテル１１４の中の１つにより取り込まれ、作用物質を受け、他方の第１のカテーテル１１４により排出される。
【０１３５】
一実施形態によれば、取込みステップ、注入ステップ、および放出ステップは、例えば１時間以上、１日以上、または１週間以上の期間など、ある長期間にわたって連続的に実施される。
【０１３６】
さらなる実施形態によれば、取込みステップ、注入ステップ、および放出ステップは、特に第１のコントローラ４５により決定された頻度などで別個に実施される。例えば、この頻度は、センサにより測定されたパラメータの値に基づき第１のコントローラ４５によって決定される。
【０１３７】
オプションの洗浄ステップの最中に、体液Ｆの流れが、第１のカテーテル１１４の一方により吸引され、作用物質が体液Ｆ中に注入されることなく、他方の第１のカテーテル１１４により排出される。この場合に、体液の流れは、この流れが排出される第１のカテーテル１１４から、第１のカテーテル１１４のルーメン中に進入しがちなまたは形成されがちな粒子、集塊、および他の固体要素を放出する。このステップは、例えば流れが排出される第１のカテーテル１１４と流れが吸引される第１のカテーテル１１４とを逆転させることにより引き続き繰り返される。
【０１３８】
代替的な実施形態によれば、洗浄ステップは、カテーテル１１４内に形成されがちな線維素形成物または血塊を溶解するのに適した酵素の各第１のカテーテル１１４を経由した注入を含む。ウロキナーゼおよびストレプトキナーゼが、酵素の例である。
【０１３９】
酵素注入は、例えば少なくとも月に１回、例えば少なくとも週に１回実施される。一実施形態によれば、酵素注入は、日に１回実施される。
【０１４０】
酵素は、特に埋め込み可能なデバイス２０に一体化された酵素リザーバ内に貯蔵される。
【０１４１】
作用物質注入が、一方の第１のカテーテル１１４により吸引され他方の第１のカテーテル１１４により排出された体液Ｆの流れを介して実施される場合には、第１のカテーテル１１４からの作用物質の排出は、体液Ｆの流れにより助長される。特に、作用物質量が、非常に少なく通常であれば第１のカテーテルの内部に部分的に残りがちとなる場合でも、または作用物質が中に排出される体液Ｆが、作用物質の第１のカテーテル１１４からの漏出を防止するのに適した圧力を印加する場合でも、ポンプにより注入された全ての作用物質が、第１のカテーテル１１４から効果的に排出される。
【０１４２】
したがって、非常に少量の作用物質が患者に対して高い精度で投与され得るため、注入の調整がより効果的になる。特に、非常に少ない用量の作用物質を複数回にわたりまたは既定の期間にわたる連続放出ベースで投与することにより投与を経時的に分散させることが想定され得る。本発明のこの構成により、作用物質の有利に調整された希釈が実際に可能となる。
【０１４３】
投与される作用物質の用量が非常に少ないので、患者Ｐに対する副作用は、より低い頻度でのより多い用量の投与に比べて軽減されるのに適している。
【０１４４】
さらに、第１のカテーテル１１４により排出された体液Ｆの流れは、作用物質注入ステップまたは洗浄ステップの最中に部分的にまたは完全に閉塞しがちな第１のカテーテル１１４の閉塞解除を可能にする。
【０１４５】
各第１のカテーテル１１４は、生体適合性材料から作製される。この生体適合性材料は、例えばポリウレタン、シリコーン、ナイロン、ポリカーボネート樹脂、またはポリスルホンなどから選択される。
【０１４６】
各第１のカテーテル１１４は、例えば多孔性材料から作製される。特に、多孔性材料は、作用物質が少なくとも横断するように構成される。一実施形態によれば、多孔性材料は、作用物質および体液Ｆが横断するように構成される。
【０１４７】
ポリビニルアルコール（PVAとしても知られる）が、第１のカテーテル１１４を形成するのに適した多孔性材料の一例である。
【０１４８】
代替的な実施形態によれば、多孔性材料は、天然の非多孔性材料であるが、穿孔が形成されたものである。この場合に、これらの穿孔は孔として機能する。
【０１４９】
第２の端部が開口している、すなわち第１のカテーテル１１４の中央ルーメンが第１のカテーテル１１４の外部に露呈する実施形態が、第２の端部が閉じられている実施形態と同様に想定され得る。
【０１５０】
第１のカテーテル１１４が多孔性材料から作製される場合には、体液Ｆは、部分的には第２の端部を経由して吸引され、部分的には多孔性材料の孔または穿孔を経由して吸引される。同様に、作用物質および該当する場合には体液Ｆは、部分的には第２の端部を経由して吸引され、部分的には多孔性材料の孔または穿孔を経由して吸引される。
【０１５１】
各第１のカテーテル１１４の第２の端部が閉じられる場合には、作用物質および該当する場合には体液Ｆは、第１のカテーテル１１４の孔または穿孔を経由して第１のカテーテル１１４と患者の身体との間で交換される。
【０１５２】
第１のカテーテル１１４用の多孔性材料のこの選択により、当該の第１のカテーテル１１４の全長にわたる孔を介した流体の取込みおよび／または放出が可能となる。この場合に、第１のカテーテル１１４は、カテーテルのルーメンの閉塞に対する影響をより被りにくい。さらに、作用物質は、第２の端部のみを経由して放出される場合よりも、患者Ｐの身体のより広いゾーンにわたり分散される。したがって、作用物質の体積密度に依拠する副作用が、限定される。
【０１５３】
一実施形態によれば、各第１のカテーテル１１４は、胃３０の外方壁部にまたは腹膜の臓側板に対接するのに適した対接要素を含む。この対接要素は、例えば胃３０の外方壁部にまたは腹膜の臓側板に対接する場合に、胃３０の内方壁部のより近くへと埋め込み可能なデバイス２０を移動させる、特に胃３０の内方壁部に対して埋め込み可能なデバイス２０を圧接させる傾向となる力を印加するように構成される。
【０１５４】
この例では、第１のカテーテル１１４は、胃３０の壁部に対して埋め込み可能なデバイス２０を固定するためのアンカー１５としての役割を果たす。
【０１５５】
一実施形態によれば、各第１のカテーテル１１４が、胃３０の壁部および第１のカテーテル１１４をまとめて横断する縫合糸により胃壁に対して固定される。この場合では、各第１のカテーテル１１４は、胃３０の壁部に対して固定されるのに適した例えば少なくとも１つのストランドまたは糸などを有する。
【０１５６】
さらなる例によれば、埋め込み可能なデバイス２０は、胃粘膜の内部に少なくとも部分的に組み込まれる。例えば、埋め込み可能なデバイス２０は、胃粘膜と胃の筋との間に配置される。１つの位置決めモードによれば、埋め込み可能なデバイス２０は、胃粘膜と胃粘膜下組織との間に配置される。
【０１５７】
さらなる例によれば、ヘッド３５は、胃３０の外部に位置する少なくとも１つのベースを含む。例えば、ヘッド３５は２つのベースを含む。
【０１５８】
各ベースは、胃３０の壁部の内方面に対して埋め込み可能なデバイス２０を押圧する傾向となる力を印加するために、胃３０の壁部の外方面に対して対接するように、および埋め込み可能なデバイス２０に対して連結されるように構成される。代替的な実施形態によれば、各ベースは、腹膜の臓側板と壁側板との間に配置されるように、および胃３０の壁部の内方面に対して埋め込み可能なデバイス２０を押圧するために臓側板に対接するように構成される。
【０１５９】
各ベースは、例えばプレートである。代替的には、各ベースは、フレーム、特に屈曲し内視鏡または中空ニードルまで挿入されるのに適した可撓性フレームの上に広げられたストランド格子を含む。
【０１６０】
第１のコネクタ４０は、例えばハウジング６５に対して継手連結された１つまたは複数のリングを含む。各ベースは、例えば１つまたは複数のリングに対して固定された１つまたは複数のストランドにより埋め込み可能なデバイス２０に対して固定される。
【０１６１】
１つまたは複数のベースによる固定によって、胃３０の壁部のより大きな表面にわたり埋め込み可能なデバイスにより印加された圧力を分散させ、およびしたがって印加力を軽減することが可能となる。さらに、この固定モードは、固定されたアンカー中に張力を発生させがちな胃の容積の縮小をもたらす折り目を胃壁中に発生させることを伴わない。胃壁に対して印加される力が軽減されることにより、胃粘膜の炎症反応の発症リスクが限定される。
【符号の説明】
【０１６２】
１０  埋め込み可能なシステム
１５  アンカー
２０  埋め込み可能なデバイス、デバイス、中央デバイス
２５  第２のデバイス
３０  胃
３５  ヘッド
４０  第１のコネクタ
４５  第１のコントローラ
５０  第２のコネクタ
５５  電源
６５  ハウジング
６７  作用物質リザーバ
７０  インジェクタ
７５  第１のメモリ
８０  第１のプロセッサ
８５  第３のコネクタ
９０  第１の電気エネルギー・リザーバ
９５  空洞部
１００  第１の電気接触子
１０５  第２の電気接触子
１１０  アトラクタ
１１２  第２の磁石
１１４  第１のカテーテル
Ｃ１  第１の電源電流
Ｃ２  第２の電源電流
【図１】
2020500635.tif 000003
【図２】
2020500635.tif 000004
【図３】
2020500635.tif 000005
【国際調査報告】
2020500635.tif 000006
2020500635.tif 000007
2020500635.tif 000008
2020500635.tif 000009
2020500635.tif 000010
2020500635.tif 000011